(57)【要約】【課題】広告を多くの視聴者に視聴させる。【解決手段】広告配信システムにおいて、コンテンツの演出情報を含むコンテンツ制作エンジンに広告データを埋め込み、前記広告データ埋め込まれたコンテンツ制作エンジン及び台本には、前記コンテンツ制作エンジンを制作したエンジン制作者及び／又は前記台本を制作した台本制作者を識別するための識別情報が記述されており、視聴装置は、前記識別情報を含む視聴情報を広告制作装置に送信し、広告制作装置は、前記視聴装置から得られる前記視聴情報に基づいて、前記エンジン制作者及び／又は台本制作者への広告料を設定することにより、上記課題を解決する。【選択図】図１
2008022256.tif 000002
【特許請求の範囲】
【請求項１】
通信ネットワークに接続され、広告を制作する広告制作装置と、前記広告制作装置から得られる広告データを用いてコンテンツの演出情報を含むコンテンツ制作エンジンを制作するコンテンツ制作エンジン制作装置と、前記コンテンツ制作エンジン制作装置から得られるコンテンツ制作エンジンを用いて台本を制作する台本制作装置と、前記台本制作装置から得られる台本に基づいて番組を再生し、再生した番組を前記視聴者に視聴させる視聴装置とからなり、前記コンテンツに少なくとも１つの広告データを埋め込んで視聴者に配信する広告配信システムにおいて、
前記コンテンツ制作エンジン及び前記台本には、前記コンテンツ制作エンジンを制作したエンジン制作者及び／又は前記台本を制作した台本制作者を識別するための識別情報が記述されており、
前記視聴装置は、前記識別情報を含む視聴情報を前記広告制作装置に送信し、
前記広告制作装置は、前記視聴装置から得られる前記視聴情報に基づいて、前記エンジン制作者及び／又は台本制作者への広告料を設定することを特徴とする広告配信システム。
【請求項２】
視聴者に配信する広告データを制作し、前記視聴者が視聴した前記広告データが埋め込まれたコンテンツの視聴情報を取得する広告制作装置において、
前記広告データを生成する広告生成手段と、
前記広告生成手段から得られる広告データを予め設定されたコンテンツの演出情報を含むコンテンツ制作エンジンを制作するコンテンツ制作エンジン制作装置に送信し、更に前記視聴者が使用する視聴装置から前記視聴情報を受信する送受信手段と、
前記送受信手段から得られる前記視聴情報に基づいてコンテンツ制作エンジンを制作したエンジン制作者へ支払う広告料を設定する広告料設定手段とを有することを特徴とする広告制作装置。
【請求項３】
前記視聴情報には、前記コンテンツの台本を制作した台本制作者情報を有し、
前記広告料設定手段は、前記送受信手段から得られる前記視聴情報に基づいて前記台本制作者へ支払う広告料を設定することを特徴とする請求項２に記載の広告制作装置。
【請求項４】
広告主より得られる広告データを用いてコンテンツの演出情報を含むコンテンツ制作エンジンを制作するコンテンツ制作エンジン制作装置において、
前記広告データを受信する受信手段と、
前記受信手段から得られる前記広告データと、コンテンツ制作エンジンを制作したエンジン制作者を識別する識別情報とを埋め込んだ前記コンテンツ制作エンジンを生成するコンテンツ制作エンジン生成手段とを有することを特徴とするコンテンツ制作エンジン制作装置。
【請求項５】
視聴者に配信するコンテンツの台本を制作する台本制作装置において、
広告データが埋め込まれた前記コンテンツの演出情報を含むエンジン制作エンジンを受信する受信手段と、
前記受信手段から得られる前記コンテンツ制作エンジンを用いて前記台本を制作した台本制作者を識別する識別情報が埋め込まれた台本を生成する台本生成手段と、
前記台本を前記視聴者が使用する視聴装置に送信する送信手段とを有することを特徴とする台本制作装置。
【請求項６】
コンテンツの台本、前記コンテンツの演出情報を含むコンテンツ制作エンジン、及び素材データからコンテンツを再生する視聴者に視聴させる視聴装置において、
前記台本、コンテンツ制作エンジン、及び素材データを用いてコンテンツを再生する際、前記コンテンツ制作エンジンに埋め込まれている広告データを再生する再生手段と、
前記広告データの再生時に、前記コンテンツ制作エンジンに含まれる前記コンテンツ制作エンジンを制作したエンジン制作者を識別する識別情報、及び／又は前記台本に含まれる前記台本を制作した台本制作者を識別する識別情報を抽出し、抽出した識別情報と、前記コンテンツの視聴関連情報とを含む視聴情報を生成する視聴情報生成手段とを有することを特徴とする視聴装置。
【請求項７】
前記視聴関連情報には、視聴したコンテンツを識別するコンテンツ識別情報、前記コンテンツを視聴した時間情報、視聴者を識別する視聴者識別情報のうち、少なくとも１つを有することを特徴とする請求項７に記載の視聴装置。
【請求項８】
コンテンツに少なくとも１つの広告データを埋め込んで視聴者に配信する広告配信処理をコンピュータに実行させるための広告配信プログラムにおいて、
前記コンテンツの演出情報を含むコンテンツ制作エンジンに、前記広告データ及び前記コンテンツ制作エンジンの制作者を識別するエンジン制作者識別情報を埋め込む処理と、
前記コンテンツの台本に、前記台本の制作者を識別する台本制作者識別情報を記述する処理と、
前記コンテンツの再生時に、前記エンジン制作者識別情報及び／又は前記台本制作者識別情報を含む視聴情報を生成する処理と、
前記視聴情報に含まれる前記エンジン制作者識別情報及び／又は前記台本制作者識別情報に基づいて、前記エンジン制作者及び前記台本制作者に支払う広告料を設定する処理とをコンピュータに実行させるための広告配信プログラム。
【発明の詳細な説明】
【技術分野】
【０００１】
本発明は、広告配信システム、広告制作装置、コンテンツ制作エンジン制作装置、台本制作装置、視聴装置、及び広告配信プログラムに係り、特に、広告を多くの視聴者に視聴させるための広告配信システム、広告制作装置、コンテンツ制作エンジン制作装置、台本制作装置、視聴装置、及び広告配信プログラムに関する。
【背景技術】
【０００２】
従来、番組等のコンテンツの制作から制作した番組の視聴者への配信までの番組提示に関する各機能を番組制作側で統合的に扱うことができるシステムが存在する（例えば、特許文献１参照。）。
【０００３】
ここで、特許文献１に記載されているようなシステムでは、まず制作者によりエディタ等を用いて番組の台本が記述される。次に、その台本に複数の番組（コンテンツ）制作エンジン（ＡＰＥ：Ａｕｔｏｍａｔｉｃ  Ｐｒｏｄｕｃｔｉｏｎ  Ｅｎｇｉｎｅ）の中から任意のエンジンを演出情報として適用して番組を制作する。
【０００４】
なお、ＡＰＥとは、予め所定の演出毎に用意された雛形であり、台本制作者等が番組を制作する際に、この雛形を用いることで容易に高精度なコンテンツの制作を実現している。なお、ＡＰＥでは、番組に登場するＣＧキャラクタや番組における１つの動作の単位で「タイトル表示」、「ズームイン」、「ＣＧキャラクタの動作」等の予め定義されたイベントに対して様々な演出が用意されている。
【０００５】
また、従来のシステムでは、番組が制作されると、番組を制作する際に用いた台本、ＡＰＥ、及び番組生成に使用される映像や画像、テキスト、音声等の素材データを、公開サーバ等にアップロードする。視聴側では、番組再生時に視聴者が使用する視聴装置等から公開サーバにアクセスし、公開されている台本、ＡＰＥ、素材データをダウンロードし、専用のブラウザ等を用いて番組を再生して市長を行っていた。
【０００６】
なお、広告等の提供については、広告制作者が制作した動画コマーシャル等を番組の合間に挿入して視聴者に提供されていた。
【特許文献１】特開２００５−３１８２５４号公報
【発明の開示】
【発明が解決しようとする課題】
【０００７】
ところで、上述した従来手法において提供される広告は、コマーシャルのように視聴者に配布された段階で、１つのコンテンツとして完成されたものであるため再配布することは可能である。しかしながら、広告データを一連の番組の中で再利用できるものではなかった。したがって、広告と番組の関連性等から広告をあらゆる番組に適用することができず、広告伝播効果にある程度の限界があった。
【０００８】
また、従来では、広告制作側から、その広告を利用したコンテンツを制作したコンテンツ制作側に支払われる広告料は、制作されたコンテンツ単位であり、上述したコンテンツ制作エンジン等の制作者を基準としたものではないため、最適な広告料の設定がなされていなかった。
【０００９】
本発明は、上述した問題点に鑑みなされたものであり、広告伝播効果を向上し、広告を多くの視聴者に視聴させるための広告配信システム、広告制作装置、コンテンツ制作エンジン制作装置、台本制作装置、視聴装置、及び広告配信プログラムを提供することを目的とする。
【課題を解決するための手段】
【００１０】
上記課題を解決するために、本件発明は、以下の特徴を有する課題を解決するための手段を採用している。
【００１１】
請求項１に記載された発明は、通信ネットワークに接続され、広告を制作する広告制作装置と、前記広告制作装置から得られる広告データを用いてコンテンツの演出情報を含むコンテンツ制作エンジンを制作するコンテンツ制作エンジン制作装置と、前記コンテンツ制作エンジン制作装置から得られるコンテンツ制作エンジンを用いて台本を制作する台本制作装置と、前記台本制作装置から得られる台本に基づいて番組を再生し、再生した番組を前記視聴者に視聴させる視聴装置とからなり、前記コンテンツに少なくとも１つの広告データを埋め込んで視聴者に配信する広告配信システムにおいて、前記コンテンツ制作エンジン及び前記台本には、前記コンテンツ制作エンジンを制作したエンジン制作者及び／又は前記台本を制作した台本制作者を識別するための識別情報が記述されており、前記視聴装置は、前記識別情報を含む視聴情報を前記広告制作装置に送信し、前記広告制作装置は、前記視聴装置から得られる前記視聴情報に基づいて、前記エンジン制作者及び／又は台本制作者への広告料を設定することを特徴とする。
【００１２】
請求項１記載の発明によれば、広告伝播効果を向上し、広告を多くの視聴者に視聴させることができる。これにより、高い広告効果が期待できる。また、視聴情報により、コンテンツ制作エンジン制作者及び台本制作者に対して最適な広告料の設定を行うことができる。
【００１３】
請求項２に記載された発明は、視聴者に配信する広告データを制作し、前記視聴者が視聴した前記広告データが埋め込まれたコンテンツの視聴情報を取得する広告制作装置において、前記広告データを生成する広告生成手段と、前記広告生成手段から得られる広告データを予め設定されたコンテンツの演出情報を含むコンテンツ制作エンジンを制作するコンテンツ制作エンジン制作装置に送信し、更に前記視聴者が使用する視聴装置から前記視聴情報を受信する送受信手段と、前記送受信手段から得られる前記視聴情報に基づいてコンテンツ制作エンジンを制作したエンジン制作者へ支払う広告料を設定する広告料設定手段とを有することを特徴とする。
【００１４】
請求項２記載の発明によれば、広告伝播効果を向上し、広告を多くの視聴者に視聴させることができる。これにより、高い広告効果が期待できる。また、視聴情報により、コンテンツ制作エンジンの制作者に対して最適な広告料の設定を行うことができる。
【００１５】
請求項３に記載された発明は、前記視聴情報には、前記コンテンツの台本を制作した台本制作者情報を有し、前記広告料設定手段は、前記送受信手段から得られる前記視聴情報に基づいて前記台本制作者へ支払う広告料を設定することを特徴とする。
【００１６】
請求項３記載の発明によれば、視聴情報により、台本制作者に対して最適な広告料の設定を行うことができる。
【００１７】
請求項４に記載された発明は、広告主より得られる広告データを用いてコンテンツの演出情報を含むコンテンツ制作エンジンを制作するコンテンツ制作エンジン制作装置において、前記広告データを受信する受信手段と、前記受信手段から得られる前記広告データと、コンテンツ制作エンジンを制作したエンジン制作者を識別する識別情報とを埋め込んだ前記コンテンツ制作エンジンを生成するコンテンツ制作エンジン生成手段とを有することを特徴とする。
【００１８】
請求項４記載の発明によれば、コンテンツ制作エンジンに広告データを埋め込んでおくことで、広告伝播効果を向上し、広告を多くの視聴者に視聴させることができる。これにより、高い広告効果が期待できる。また、コンテンツ制作エンジンにエンジン制作者の識別情報を埋め込むことで、コンテンツ制作エンジンの制作者に対して最適な広告料の設定を行うことができる。
【００１９】
請求項５に記載された発明は、視聴者に配信するコンテンツの台本を制作する台本制作装置において、広告データが埋め込まれた前記コンテンツの演出情報を含むエンジン制作エンジンを受信する受信手段と、前記受信手段から得られる前記コンテンツ制作エンジンを用いて前記台本を制作した台本制作者を識別する識別情報が埋め込まれた台本を生成する台本生成手段と、前記台本を前記視聴者が使用する視聴装置に送信する送信手段とを有することを特徴とする。
【００２０】
請求項５記載の発明によれば、コンテンツ制作エンジンに広告データが埋め込まれているため、広告伝播効果を向上し、広告を多くの視聴者に視聴させることができる。また、台本に台本制作者を識別する識別情報を記述することで台本制作者に対して最適な広告料の設定を行うことができる。
【００２１】
請求項６に記載された発明は、コンテンツの台本、前記コンテンツの演出情報を含むコンテンツ制作エンジン、及び素材データからコンテンツを再生する視聴者に視聴させる視聴装置において、前記台本、コンテンツ制作エンジン、及び素材データを用いてコンテンツを再生する際、前記コンテンツ制作エンジンに埋め込まれている広告データを再生する再生手段と、前記広告データの再生時に、前記コンテンツ制作エンジンに含まれる前記コンテンツ制作エンジンを制作したエンジン制作者を識別する識別情報、及び／又は前記台本に含まれる前記台本を制作した台本制作者を識別する識別情報を抽出し、抽出した識別情報と、前記コンテンツの視聴関連情報とを含む視聴情報を生成する視聴情報生成手段とを有することを特徴とする。
【００２２】
請求項６記載の発明によれば、コンテンツ制作エンジンに広告データが埋め込まれているため、広告伝播効果を向上し、広告を多くの視聴者に視聴させることができる。また、視聴情報により、コンテンツ制作エンジン制作者及び台本制作者に対して最適な広告料の設定を行うことができる。
【００２３】
請求項７に記載された発明は、前記視聴関連情報には、視聴したコンテンツを識別するコンテンツ識別情報、前記コンテンツを視聴した時間情報、視聴者を識別する視聴者識別情報のうち、少なくとも１つを有することを特徴とする。
【００２４】
請求項７記載の発明によれば、視聴関連情報により、より最適に広告料を設定することができる。
【００２５】
請求項８に記載された発明は、コンテンツに少なくとも１つの広告データを埋め込んで視聴者に配信する広告配信処理をコンピュータに実行させるための広告配信プログラムにおいて、前記コンテンツの演出情報を含むコンテンツ制作エンジンに、前記広告データ及び前記コンテンツ制作エンジンの制作者を識別するエンジン制作者識別情報を埋め込む処理と、前記コンテンツの台本に、前記台本の制作者を識別する台本制作者識別情報を記述する処理と、前記コンテンツの再生時に、前記エンジン制作者識別情報及び／又は前記台本制作者識別情報を含む視聴情報を生成する処理と、前記視聴情報に含まれる前記エンジン制作者識別情報及び／又は前記台本制作者識別情報に基づいて、前記エンジン制作者及び前記台本制作者に支払う広告料を設定する処理とをコンピュータに実行させる。
【００２６】
請求項８記載の発明によれば、広告伝播効果を向上し、広告を多くの視聴者に視聴させることができる。これにより、高い広告効果が期待できる。また、視聴情報により、コンテンツ制作エンジン制作者及び台本制作者に対して最適な広告料の設定を行うことができる。また、実行プログラムをコンピュータにインストールすることにより、容易に広告配信を実現することができる。
【発明の効果】
【００２７】
本発明によれば、広告伝播効果を向上し、広告を多くの視聴者に視聴させることができる。
【発明を実施するための最良の形態】
【００２８】
＜本発明の概要＞
本発明は、視聴者が見ているコンテンツの演出を維持したまま、シームレスに視聴者に広告を提示するシステムである。具体的に説明すると、ＡＰＥ（コンテンツ制作エンジン）で使われる部品（スタジオセット・小道具モデル・キャラクタ・動画・静止画・音声・画像・スーパーインポーズ・セリフ等）に広告を埋め込み、コンテンツの再生時にそのＡＰＥを使用したコンテンツで埋め込んだ広告が提示されるようにする。
【００２９】
なお、ＡＰＥは、コンテンツから演出の部分を取り出したものであるため、同じＡＰＥを用いても、各台本制作者が独自の台本を制作すれば、独自のコンテンツとして制作することができる。つまり、ＡＰＥの再配布を許諾することによって、そのＡＰＥが高品質であれば、ねずみ算的にＡＰＥが拡大し、広告を効果的に配信することが可能となる。
【００３０】
また、本発明では、広告がどの程度視聴されたかを高精度に把握すると共に、その広告を多くの視聴者に提供したＡＰＥ制作者や台本制作者に対して最適な金額（広告料）の設定を行う。
【００３１】
＜実施形態＞
以下に、上述した特徴を有する本発明における広告配信システム、広告制作装置、コンテンツ制作エンジン制作装置、台本制作装置、視聴装置、及び広告配信プログラムを好適に実施した形態について、図面を用いて詳細に説明する。
【００３２】
なお、本実施形態では、コンテンツの一例として番組を用いることとし、番組の提供システムの一例としてＴＶ４Ｕ（ＴＶ  ｆｏｒ  Ｙｏｕ）を用いる。ＴＶ４Ｕとは、台本や番組制作エンジン（ＡＰＥ）、画像や音声等の素材データから番組を制作し、制作した番組に対応する台本、ＡＰＥ、素材データを視聴装置に配信するシステムである。視聴者側では、視聴装置に設けた専用のブラウザ等により台本、ＡＰＥ、素材データから番組を再生して視聴することができる。
【００３３】
更に、番組の制作、提示に用いられるスクリプトの一例として、ＴＶＭＬ（ＴＶ  ｐｒｏｇｒａｍ  Ｍａｒｋｉｎｇ  Ｌａｎｇｕａｇｅ）を用いる。ＴＶＭＬは、テレビ番組を制作するためのオブジェクトベース記述言語である。ＴＶＭＬは、テレビ番組の映像と音声を、素材と台本とに分けて記述することができる。
【００３４】
＜広告配信システム＞
図１は、本発明における広告配信システムの概要構成例を示す図である。図１に示す広告配信システム１０は、広告制作装置１１−１〜１１−ｎと、ＡＰＥ（番組制作エンジン）制作装置１２−１〜１２−ｎと、台本制作装置１３−１〜１３−ｎと、視聴装置１４−１〜１４−ｎとが、それぞれ少なくとも１つ有するよう構成されている。
【００３５】
また、広告制作装置１１、ＡＰＥ制作装置１２、台本制作装置１３、及び視聴装置１４は、それぞれインターネット等の通信ネットワーク１５を介してデータの送受信が可能な状態で接続されている。
【００３６】
広告制作装置１１は、画像や音声、テキスト等を用いて広告データを制作する。なお、広告データとは、映像や音声等で表現され、コマーシャルやラジオ、雑誌、新聞等の広告等に代表されるような商品等を宣伝するための情報である。また、広告データには、その広告を制作した広告制作者の情報が含まれていてもよい。
【００３７】
また、広告制作装置１１は、広告データを生成し、広告データを用いてＡＰＥや台本を制作してもらうために通信ネットワーク１５を介してＡＰＥ制作装置１２や台本制作装置１３に出力する。また、広告制作装置１１は、ＡＰＥや台本に埋め込まれた広告の広がり具合、つまりその広告がどのような番組に使用され、どの視聴装置１４で視聴されたか等の情報を、前記視聴装置１４から得られる視聴情報から把握し、その結果に応じてＡＰＥ制作者及び／又は広告制作者に対して支払う広告料を設定する。
【００３８】
ＡＰＥ制作装置１２は、広告制作装置１１から得られる広告データを埋め込んだＡＰＥを制作する。なお、ＡＰＥ制作装置１２は、制作するＡＰＥの演出内容の指示（依頼）が広告制作装置１１から送られている場合には、その演出内容に基づいてＡＰＥを制作する。
【００３９】
また、ＡＰＥ制作装置１２は、制作するＡＰＥにＡＰＥ制作者を識別する識別情報を埋め込む。ＡＰＥ制作装置１２は、制作したＡＰＥを台本制作装置１３や視聴装置１４に配信したり、台本制作装置１３や視聴装置１４から取得可能な状態で公開する。なお、ＡＰＥ制作装置１２は、予め広告制作装置１１等から、任意の台本制作装置１３にＡＰＥを配信するように指示されている場合には、制作したＡＰＥをその台本制作装置１３に出力する。
【００４０】
台本制作装置１３は、ＡＰＥ制作装置１２から得られるＡＰＥから台本を制作する。したがって、台本制作装置１３により、視聴者に配信する番組が生成されることになる。なお、台本制作装置１３は、広告制作装置１１から制作する台本の内容が指示されている場合には、その内容に基づいて台本を制作する。
【００４１】
また、台本制作装置１３は、制作する台本に台本制作者を識別する識別情報を埋め込む。台本制作装置１３は、制作した番組に対応する台本やその台本に使用したＡＰＥ、素材データ等を通信ネットワーク１５を介して視聴装置１４に配信したり、台本制作装置１３や視聴装置１４から取得可能な状態で公開する。
【００４２】
視聴装置１４は、台本、ＡＰＥ、素材データ等に基づいて専用のブラウザ等により番組を再生し、再生した番組を視聴する。このとき、ＡＰＥに埋め込まれている広告データは、視聴者が見ているコンテンツの演出を維持したまま、シームレスに視聴者に提示される。
【００４３】
また、視聴装置１４は、広告データの再生時に、ＡＰＥに含まれるＡＰＥ制作者を識別する識別情報、及び／又は台本に含まれる台本制作者を識別する識別情報を抽出し、抽出した識別情報と、番組の視聴関連情報とを含む視聴情報を生成し、通信ネットワーク１５を介して広告制作装置１１に出力する。
【００４４】
なお、上述した広告配信システム１０は、上述したシステム構成に限定されず、例えば広告やＡＰＥ、台本、番組に用いられる素材データ等を一元管理する管理サーバ等を通信ネットワーク１５に接続し、広告制作装置１１、ＡＰＥ制作装置１２、台本制作装置１３、及び視聴装置１４からそれぞれ必要なデータを送受信して管理してもよい。また、図１に示す広告制作装置１１、ＡＰＥ制作装置１２、及び台本制作装置１３は、それぞれ別体として構成されているが、１つの装置で広告制作装置１１、ＡＰＥ制作装置１２、及び台本制作装置１３に係る機能のうち、複数の機能を有するように構成されていてもよい。
【００４５】
＜広告配信システム：配信動作例＞
ここで、上述した広告配信システム１０を用いた配信動作例について説明する。図２は、広告配信システムにおける配信動作の一例を示す図である。図２において、広告制作装置１１の使用者である広告主は、ＡＰＥ制作装置１２の使用者であるＡＰＥ制作者に対して広告データを送り、ＡＰＥ制作を依頼する。
【００４６】
ＡＰＥ制作者は、広告を埋め込んだＡＰＥを制作し、台本制作装置１３の使用者である台本制作者に送る。台本制作者は、ＡＰＥを使って番組の台本を制作し制作した台本を含めた番組に関する情報（台本、ＡＰＥ、素材データ等）を視聴者に配信する。
【００４７】
ここで、台本制作者は、受け取ったＡＰＥを他の台本制作者に送ることもでき、その台本制作者により別の番組が制作させることもできる。また、視聴者は、受け取った番組を視聴し、その番組を他の視聴者に配信することができる。また、視聴者は、番組に対応するＡＰＥを抽出し、他の台本制作者に送り、同じ台本を用いて他の番組を生成させることもできる。なお、本発明では、図２の配信動作例に限定されず、例えば、ＡＰＥ制作者が他のＡＰＥ制作者に広告データを送信して他のＡＰＥを制作させてもよい。
【００４８】
また、図３は、広告配信システムにおける広告伝播の様子を説明するための図である。上述したように、広告主はＡＰＥ制作者に広告データを送り、ＡＰＥ制作を依頼する。ＡＰＥ制作者は、受け取った広告データを埋め込んだＡＰＥを制作し、台本制作者Ａ，Ｂ等に配布する。
【００４９】
ここで、台本制作者Ａは、送られたＡＰＥを用いて番組Ａを制作し、番組Ａを視聴者Ａ，Ｂに配信する。視聴者Ａは、視聴した番組からＡＰＥを抽出し、台本制作者Ｃに送る。台本制作者Ｃは、送られたＡＰＥを用いて他の番組Ｃを制作し、視聴者Ｃ，Ｄ等に配信する。また、番組Ａが配信された視聴者Ｂは、視聴した番組Ａを他の視聴者Ｅ，Ｆ等に配信する。
【００５０】
更に、台本制作者Ｂは、ＡＰＥ制作者から送られたＡＰＥを用いて番組Ｂを制作し、番組Ｂを視聴者Ｇ，Ｈに出力する。また、台本制作者Ｂは、ＡＰＥ制作者から送られたＡＰＥを他の台本制作者Ｄに送る。台本制作者Ｄは、送られたＡＰＥを用いて番組Ｄを制作し、視聴者Ｉ，Ｊ等に配信する。
【００５１】
図３に示すように、１つのＡＰＥから番組Ａ〜Ｄの４つの番組が制作され、数々の視聴者Ａ〜Ｊに配信され、各視聴者にて各番組が視聴される。
【００５２】
このように、上述した広告配信システム１０により、広告を埋め込んだＡＰＥを１つ制作し、配布することにより、様々なバリエーションの番組をネットワーク上に流通させることができ、様々な視聴者に広告を行き渡らせることができる
つまり、ＡＰＥに広告データを埋め込むことで、広告伝播効果を向上し、広告を多くの視聴者に視聴させることができる。これにより、高い広告効果が期待できる。
【００５３】
次に、上述した広告制作装置１１、ＡＰＥ制作装置１２、台本制作装置１３、及び視聴装置１４の夫々の機能構成について図を用いて説明する。
【００５４】
＜広告制作装置１１＞
図４は、広告制作装置の一構成例を示す図である。図４に示す広告制作装置１１は、入力手段２１と、出力手段２２と、蓄積手段２３と、広告生成手段２４と、広告料設定手段２５と、送受信手段２６と、制御手段２７とを有するよう構成されている。
【００５５】
入力手段２１は、ユーザ（広告主等）からの広告の生成や広告料の設定等の開始／終了指示等の入力を受け付ける。なお、入力手段２１は、例えばキーボードやマウス等のポインティングデバイス、マイク等の音声入力インターフェース等からなる。
【００５６】
また、出力手段２２は、入力手段２１により入力された指示内容や、指示内容に基づいて生成された台本や広告料を表示や音声にて出力する。なお、出力手段２２は、ディスプレイやスピーカ等からなる。
【００５７】
蓄積手段２３は、広告を生成するために使用される基となる画像データや音声データ、テキストデータ等の広告生成用の素材データや広告料設定手段２５により設定された広告料等を蓄積する。また、通信ネットワーク１５を介して生成された広告データをＡＰＥ制作装置１２や台本制作装置１３へ送信するための各装置のアドレス情報（ＵＲＬ情報等）を蓄積する。また、蓄積手段２３は、送受信手段２６により得られる視聴装置１４からの視聴情報を蓄積する。
【００５８】
広告生成手段２４は、蓄積手段２３により蓄積された素材データ等や予め設定された商品情報等に基づいて広告データの生成や編集を行う。具体的には、例えばエディタ等を用いて広告主等が広告データの生成・編集を行う。なお、広告データには、広告データを制作した広告制作装置１１を識別する識別情報等が含まれていてもよい。
【００５９】
また、広告料設定手段２５は、送受信手段２６により取得した視聴端末１４からの視聴情報に基づいて、ＡＰＥ制作者や台本制作者に支払う広告料を設定する。なお、広告料の設定は、例えばその広告の視聴回数等と予め設定された基準に基づいて設定される。また、どのＡＰＥ又は台本からの視聴された広告であるか、更には、広告や広告が埋め込まれたＡＰＥの伝播範囲等に応じて最適な広告料の設定を行うことができる。なお、広告料設定手段２５における広告料の設定方法については後述する。
【００６０】
また、送受信手段２６は、通信ネットワーク１５を介して広告データをＡＰＥ制作者に送信したり、視聴端末１４から視聴情報を受信したり、素材データやＡＰＥ制作者や台本制作者のアドレス情報等を取得するための通信インターフェースである。
【００６１】
また、制御手段２７は、広告制作装置１１における各機能構成全体の制御を行う。具体的には、制御手段２７は、入力手段２１により入力されたユーザからの入力情報にしたがって、広告を生成したり、広告料を設定したり、生成した広告や広告料等を出力させる等の制御を行う。
【００６２】
＜広告料設定手段２５における広告料の設定方法＞
ここで、上述した広告料設定手段２５における設定方法について説明する。広告制作端末１１は、予め設定されたＡＰＥ制作装置（ＡＰＥ制作者）及び台本制作端末（台本制作者）毎に設定されたＩＤ毎に広告に各視聴端末１４−１〜１４−ｎからアクセスされた回数をカウントし、それに応じてＡＰＥ制作者、台本制作者に支払う広告料を設定する。
【００６３】
例えば、あるＡＰＥ制作者“ａｐｅｍａｓｔｅｒ”が作ったＡＰＥにインサートされている広告の広告料が１円／回で、１００００アクセスあり、ＡＰＥ制作者の取り分が５０％であるとし、また、ある台本制作者“ｓｃｒｉｐｔｅｒＡ”の台本からのアクセスが８０００アクセス、“ｓｃｒｉｐｔｅｒＢ”の台本からのアクセスが２０００アクセスだとすると、全体の広告料１００００円のうち５０％＝５０００円が“ａｐｅｍａｓｔｅｒ”に、残りの５０％のうち、５０００円×８０００／１００００＝４０００円が“ｓｃｒｉｐｔｅｒＡ”に、残りの１０００円が“ｓｃｒｉｐｔｅｒＢ”に支払うといった設定を行う。
【００６４】
なお、上述したアクセス回数のカウントは、上述した視聴情報を取得することで実現することができる。広告料の設定は、カウントがある一定の値に達したときに行ってもよく、またある期間を基準に定期あるいは不定期に行ってもよい。
【００６５】
また、視聴情報に含まれる視聴関連情報により、番組識別情報を取得することで、どの範囲まで広告が伝播されたかを把握することができ、また視聴者識別情報を取得することで、どの世代の視聴者が広告を視聴したかを把握することができる。したがって、これらの情報を用いて広告の伝播範囲により、例えば予め設定された番組数以上の番組で広告（ＡＰＥ）が使用されていた場合には、広告料を２割増しにする等、より最適な広告料を設定することができる。
【００６６】
このように、上述した広告制作装置１１の構成により、広告伝播効果を向上し、広告を多くの視聴者に視聴させることができる。これにより、高い広告効果が期待できる。また、視聴情報により、コンテンツ制作エンジンの制作者に対して最適な広告料の設定を行うことができる。
【００６７】
＜ＡＰＥ制作装置１２＞
次に、ＡＰＥ制作装置の機能構成について説明する。図５は、ＡＰＥ制作装置の一構成例を示す図である。図５に示すＡＰＥ制作装置１２は、入力手段３１と、出力手段３２と、蓄積手段３３と、ＡＰＥ生成手段３４と、送受信手段３５と、制御手段３６とを有するよう構成されている。
【００６８】
入力手段３１は、ユーザ（ＡＰＥ制作者等）からのＡＰＥの生成等の開始／終了指示等の入力を受け付ける。なお、入力手段３１は、例えばキーボードやマウス等のポインティングデバイス、マイク等の音声入力インターフェース等からなる。
【００６９】
また、出力手段３２は、入力手段３１により入力された指示内容や、指示内容に基づいて生成されたＡＰＥを表示や音声にて出力する。なお、出力手段３２は、ディスプレイやスピーカ等からなる。
【００７０】
蓄積手段３３は、広告制作装置１１より得られる広告データを蓄積する。また、蓄積手段３３は、広告データを用いて制作されたＡＰＥを蓄積する。また、蓄積手段３３は、通信ネットワーク１５を介して予め蓄積したＡＰＥを、他のＡＰＥ制作装置１２や台本制作装置１３に送信するためのアドレス情報を蓄積する。
【００７１】
また、ＡＰＥ生成手段３４は、取得した広告データを少なくとも１つ埋め込んだＡＰＥの生成や編集等を行う。なお、具体的には、例えばエディタ等を用いてＡＰＥ制作者等がＡＰＥの生成・編集を行う。
【００７２】
ここで、図６は、本発明におけるＡＰＥの記述内容の一例を示す図である。なお、図６には、説明上、左側に行番号を付している。本実施例では、一例としてＡＰＥ（ｃｙｂｅｒ．ａｐｅ）をＸＳＬＴで記述し、出力フォーマットをＴＶＭＬとしているが本発明においてはこれに限定されない。図６に示すように、ＡＰＥは１又は複数のＴＶＭＬのテンプレートで構成される。
【００７３】
また、図６の（０５）〜（１７）行目のテンプレート（ｓｅｔｕｐ）の（１６）行目に広告へのＵＲＬが記述されている。また、このＵＲＬは、ＣＧＩ（Ｃｏｍｍｏｎ  Ｇａｔｅｗａｙ  Ｉｎｔｅｒｆａｃｅ）であり引数付で記述されている。したがって、視聴端末１４は、番組再生時にこのＵＲＬ（ｈｔｔｐ：／／ａｄｖｅｒｔｉｓｅｍｅｎｔ．ｊｐ／ａｄ．ｃｇｉ）にアクセスすることにより、広告制作装置１１にＡＰＥ制作者及び台本制作者の何れか一方又は両方の識別番号を通知することができる。なお、上述のＵＲＬには、広告制作装置１１で制作された広告画像データ（例えば、“ｈｔｔｐ：／／ａｄｖｅｒｔｉｓｅｍｅｎｔ．ｊｐ／ａｄ．ｊｐｇ”）が埋め込まれているものとする。
【００７４】
つまり、図６に示すＡＰＥは、（１６）行目に示すようにＡＰＥ制作者の識別情報が埋め込まれているＩＤ通知型のＡＰＥであり、ＡＰＥ制作者の識別情報（ａｐｅｉｄ）は、“ａｐｅｍａｓｔｅｒ”である。また、この時点では、どの台本制作者で台本が制作されるかは不明であるため、（１６）、（１７）行目に示すように台本制作者の識別情報（ｓｃｒｉｄ）には、台本制作装置１３にて置換させるためのパラメータ（＜ｘｓｌ：ｖａｌｕｅ−ｏｆ  ｓｅｌｅｃｔ＝”．”／＞）が記述されている。なお、本発明における広告データのＡＰＥへの埋め込み位置は、上述した図６に示す位置に限定されない。また、１つのＡＰＥに埋め込まれる広告データは１つに限定されず、複数の広告データを埋め込むことができる。
【００７５】
また、図６において、（１９）〜（２２）行目はテキスト（ｔｅｘｔ）のテンプレートであり、（２３）〜（２５）行目はスーパーインポーズ（ｓｕｐｅｒ）のテンプレートであり、（２６）〜（２９）行目はサブイメージ（ｓｕｂｉｍａｇｅ）のテンプレートであり、（３０）〜（３２）行目はビデオ（ｖｉｄｅｏ）のテンプレートを示している。
【００７６】
また、送受信手段３５は、通信ネットワーク１５を介してＡＰＥ生成手段３４により生成したＡＰＥを台本制作装置１３に送信したり、ＡＰＥ制作装置１２や台本制作装置１３のアドレス情報等を取得するための通信インターフェースである。
【００７７】
また、制御手段３６は、ＡＰＥ制作装置１２における各機能構成全体の制御を行う。具体的には、制御手段３６は、入力手段３１により入力されたユーザからの入力情報にしたがって、ＡＰＥを制作したり、制作したＡＰＥ等を出力させる等の制御を行う。
【００７８】
このように、上述したＡＰＥ制作装置１２の構成により、ＡＰＥに広告データを埋め込んでおくことで、広告伝播効果を向上し、広告を多くの視聴者に視聴させることができる。これにより、高い広告効果が期待できる。また、ＡＰＥ制作者の識別情報をＡＰＥに埋め込むことで、ＡＰＥ制作者に対して最適な広告料の設定を行うことができる。
【００７９】
＜台本制作装置１３＞
次に、台本制作装置１３の機能構成について説明する。図７は、台本制作装置の一構成例を示す図である。図７における台本制作装置１３は、入力手段４１と、出力手段４２と、蓄積手段４３と、台本生成手段４４と、送受信手段４５と、制御手段４６とを有するよう構成されている。
【００８０】
入力手段４１は、ユーザ（台本制作者等）からの台本の生成等の開始／終了指示等の入力を受け付ける。なお、入力手段４１は、例えばキーボードやマウス等のポインティングデバイス、マイク等の音声入力インターフェース等からなる。
【００８１】
また、出力手段４２は、入力手段４１により入力された指示内容や、指示内容に基づいて生成された台本を編集するために表示や音声にて出力する。なお、出力手段３２は、ディスプレイやスピーカ等からなる。
【００８２】
蓄積手段４３は、ＡＰＥ制作装置１２や他の台本制作装置１３より得られるＡＰＥや台本生成手段４４により生成される台本、番組に必要な素材データ等を蓄積する。また、蓄積手段４３は、生成した台本と、ＡＰＥ、素材データを通信ネットワーク１５を介して視聴装置１４や他の台本制作装置１３に送信するためのアドレス情報を蓄積する。
【００８３】
また、台本生成手段４４は、蓄積されているＡＰＥを用いて台本の生成や編集等を行う。具体的には、例えばエディタ等を用いて台本制作者等が台本の生成・編集を行う。
【００８４】
ここで、図８は、本発明における台本の記述内容の一例を示す図である。なお、図８には、説明上、左側に行番号を付している。本実施例では、一例として台本データをＸＭＬ（ｅＸｔｅｎｓｉｂｌｅ  Ｍａｒｋｕｐ  Ｌａｎｇｕａｇｅ）形式で記述するが、本発明においてはこれに限定されない。
【００８５】
なお、この台本データには、上述した図６に示すＡＰＥ（ｃｙｂｅｒ．ａｐｅ）が指定されているとする。“ｃｙｂｅｒ．ａｐｅ”は、セットアップ時に埋め込まれている広告画像（ｈｔｔｐ：／／ａｄｖｅｒｔｉｓｅｍｅｎｔ．ｊｐ／ａｄ．ｊｐｇ）が表示されているように設定されている。そのため、視聴装置１４による番組再生時には冒頭に広告画像が表示された形で番組が出力させるようにすることができる。なお、広告データの挿入位置やタイミング、表示方法については、これに限定されるものではなく他のウィンドウにより広告を表示してもよく、番組の最後又は途中で広告データを視聴させるようにしてもよい。
【００８６】
また、図８に示す（０４）行目の台本中の＜ｓｅｔｕｐ＞タグで演出のセットアップと共に広告が呼び出され、その値が図６に示すＡＰＥの（１６）〜（１７）行目に示されている“＜ｘｓｌ：ｖａｌｕｅ−ｏｆ  ｓｅｌｅｃｔ＝”．”／＞“の部分に置換される。
【００８７】
つまり、本実施例では最終的に"ｈｔｔｐ：／／ａｄｖｅｒｔｉｓｅｍｅｎｔ．ｊｐ／ａｄ．ｃｇｉ？ａｐｅｉｄ＝ａｐｅｍａｓｔｅｒ＆ｓｃｒｉｄ＝ｓｃｒｉｐｔｅｒＡ“というＵＲＬでＡＰＥが参照されることになる。これは、引数ａｐｅｉｄに”ａｐｅｍａｓｔｅｒ”が設定され、また引数ｓｃｒｉｄに”ｓｃｒｉｐｔｅｒＡ”が設定されて広告制作装置１１に通知されることになる。
【００８８】
これにより、広告制作装置１１は、上述したＩＤ毎に広告にアクセスされた回数をカウントすることができ、それに応じてＡＰＥ制作者、台本制作者に支払う最適な広告料を設定することができる。
【００８９】
また、送受信手段４５は、台本、ＡＰＥ、素材データを通信ネットワーク１５を介して視聴装置１４に送信したり、ＡＰＥ制作装置１２や台本制作装置１３、視聴装置１４のアドレス情報等を取得するための通信インターフェースである。
【００９０】
また、制御手段４６は、台本制作装置１３における各機能構成全体の制御を行う。具体的には、制御手段４６は、入力手段４１により入力されたユーザからの入力情報にしたがって、台本を制作したり、制作した台本等を出力させる等の制御を行う。
【００９１】
このように、上述した台本制作装置１３の構成により、使用するＡＰＥに広告データが埋め込まれているため、広告伝播効果を向上し、広告を多くの視聴者に視聴させることができる。また、台本に台本制作者を識別する識別情報を記述することで台本制作者に対して最適な広告料の設定を行うことができる。
【００９２】
＜視聴装置１４＞
次に、視聴装置１４の機能構成例について図面に基づいて説明する。図９は、視聴装置の一構成例を示す図である。図９に示す視聴装置１４は、入力手段５１と、出力手段５２と、蓄積手段５３と、再生手段５４と、視聴情報生成手段５５と、送受信手段５６と、制御手段５７とを有するよう構成されている。
【００９３】
入力手段５１は、ユーザ（視聴者等）からの視聴要求等の指示等の入力を受け付ける。なお、入力手段５１は、例えばキーボードやマウス等のポインティングデバイス、マイク等の音声入力インターフェース等からなる。
【００９４】
また、出力手段５２は、入力手段５１により入力された指示内容や、指示内容に基づいて再生された番組等を表示や音声にて出力する。なお、出力手段５２は、ディスプレイやスピーカ等からなる。
【００９５】
蓄積手段５３は、番組を再生するために使用される台本や素材データ、ＡＰＥ等を蓄積する。また、蓄積手段５３は、取得した台本に含まれるＡＰＥを、他のＡＰＥ制作装置１２や台本制作装置１３等に通信ネットワーク１５を介して送信したり、台本を他の視聴装置１４に送信したり、視聴情報を広告制作装置１１に送信するためのアドレス情報、ＵＲＬ情報等を蓄積する。また、蓄積手段５３は、視聴情報生成手段５５により得られる広告の視聴情報を蓄積する。
【００９６】
また、再生手段５４は、取得した台本、ＡＰＥ、素材データにより、番組を再生するＴＶＭＬスクリプトを生成する。また、再生手段５４は、生成したＴＶＭＬスクリプトから番組の再生を行う。再生された番組は、ディスプレイやスピーカ等からなる出力手段５２から出力される。
【００９７】
また、再生手段５４は、視聴者が気に入ったＡＰＥを使った他の台本制作者に台本を制作してもらうため、台本データの中からＡＰＥを抽出する。なお、台本中においてＡＰＥは所定のタグで記述されているため、そのタグの情報からＡＰＥを抽出する。例えば、上述した図８の例では、再生手段５４は、（０３）行目にある＜ａｐｅ  ｆｉｌｅ＝“ｃｙｂｅｒ．ａｐｅ”＞の“ｃｙｂｅｒ．ａｐｅ”をＡＰＥファイルとして抽出する。
【００９８】
視聴情報生成手段５５は、番組再生時にＡＰＥ制作者及び／又は台本制作者の識別情報を抽出し、抽出した識別情報と視聴関連情報とを含む視聴情報を生成する。なお、視聴関連情報には、視聴した番組を識別する番組名等の番組識別情報、番組を視聴した時間情報（日付等を含んでもよい）、視聴者を識別するユーザＩＤ等の視聴者識別情報のうち、少なくとも１つを有する。また、生成した視聴情報は、送受信手段５６により通信ネットワーク１５を介して対応する広告制作装置１１に出力される。これにより、広告制作装置１１は、視聴関連情報により、より最適に広告料を設定することができる。
【００９９】
送受信手段５６は、通信ネットワーク１５を介して視聴情報を広告制作装置１１に送信したり、台本やＡＰＥ、素材データを受信したり、広告制作装置１１やＡＰＥ制作装置者１２、台本制作装置１３、視聴装置１４等のアドレス情報等を取得するための通信インターフェースである。
【０１００】
また、制御手段５７は、視聴装置１４における各機能構成全体の制御を行う。具体的には、制御手段５７は、入力手段５１により入力されたユーザからの入力情報にしたがって、番組を再生したり、台本データからＡＰＥを抽出したり、視聴情報を生成したり、視聴情報を送信させる等の制御を行う。
【０１０１】
このように、上述した視聴装置１４の構成により、ＡＰＥに広告データが埋め込まれているため、広告伝播効果を向上し、広告を多くの視聴者に視聴させることができる。また、視聴情報により、ＡＰＥ制作者及び台本制作者に対して最適な広告料の設定を行うことができる。
【０１０２】
＜視聴例＞
ここで、視聴装置１４における視聴の様子について図を用いて説明する。図１０は、番組を構成する台本、ＡＰＥ、広告データの一例を示す図である。また、図１１は、図１０に基づいて生成された番組の再生遷移の一例を示す図である。
【０１０３】
まず、図１０に示すように、台本制作者はＸＭＬ形式で台本６１を記述したとする。なお、図１０の台本６１中には説明上、台本に記述された“ｍａｒｇｈｅｒｉｔａ．ｊｐｇ”の台本画像６２が示されている。
【０１０４】
ここで、演出として、ＡＰＥ（ｃｙｂｅｒ．ａｐｅ）６３が指定されていたとする。なお、“ｃｙｂｅｒ．ａｐｅ”には、セットアップ時に埋め込まれている広告画像６４のアドレス“ｈｔｔｐ：／／ａｄｖｅｒｔｉｓｅｍｅｎｔ．ｊｐ／ａｄ．ｊｐｇ”が表示されるよう設定されている。
【０１０５】
上述した設定により、図１１（ａ）〜（ｃ）に示すように再生される番組が遷移する。まず、図１１（ａ）、（ｂ）に示すように、番組再生時には冒頭に広告画像６４が表示され、台本に記述された文字の表示やＣＧキャラクタによるセリフが出力された後、図１１（ｃ）に示すように、実際の番組中の所定のエリアに台本画像６２が表示される。
【０１０６】
このように、上述した実施形態によれば、視聴者が見ているコンテンツの演出を維持したまま、シームレスに視聴者に広告を提示することができる。具体的に説明すると、ＡＰＥ（コンテンツ制作エンジン）で使われる部品（スタジオセット・小道具モデル・キャラクタ・動画・静止画・音声・画像・スーパーインポーズ・セリフ等）に広告を埋め込み、コンテンツの再生時にそのＡＰＥを使用したコンテンツで埋め込んだ広告が提示されるようにする。
【０１０７】
これにより、広告伝播効果を向上し、広告を多くの視聴者に視聴させることができる。また、高い広告効果が期待できる。更に、上述した視聴情報により、コンテンツ制作エンジン制作者及び台本制作者に対して最適な広告料の設定を行うことができる。
【０１０８】
また、本発明では、ＡＰＥの再配布、再利用を許諾し、口コミを利用していわゆるバイラル広告的手法を用いてインターネット上に流通させることができ、配布されたＡＰＥは、再利用・再配布が許諾されることで、異なる制作者が流通しているＡＰＥを用いて番組（台本）を制作することができるため、多様なコンテンツが生成されるため、同一の広告をより多くの視聴者に視聴させることができる。
【０１０９】
なお、埋め込む広告データをＵＲＬのインターネット参照で埋め込むことにより、提示する広告を動的に変化させることができる。この手法を用いると、そのＡＰＥを使ったコンテンツが再生される度に、そのＵＲＬへアクセスして広告を表示するため、その時々に応じた広告を提示することができる。また、アクセス数をカウントすることにより、広告提示回数の追跡も可能になる。
【０１１０】
ここで、上述した広告制作装置１１、ＡＰＥ制作装置１２、台本制作装置１３、及び視聴装置１４は、専用の装置構成により本発明における広告配信を行うこともできるが、各構成における処理をコンピュータに実行させることができる実行プログラムを生成し、例えば、汎用のパーソナルコンピュータ、サーバ等にプログラムをインストールすることにより、本発明における広告配信を実現することができる。
＜ハードウェア構成＞
ここで、本発明における実行可能なコンピュータのハードウェア構成例について図を用いて説明する。図１２は、本発明における広告配信処理が実現可能なハードウェア構成の一例を示す図である。
【０１１１】
図１２におけるコンピュータ本体には、入力装置７１と、出力装置７２と、ドライブ装置７３と、補助記憶装置７４と、メモリ装置７５と、各種制御を行うＣＰＵ（Ｃｅｎｔｒａｌ  Ｐｒｏｃｅｓｓｉｎｇ  Ｕｎｉｔ）７６と、ネットワーク接続装置７７とを有するよう構成されており、これらはシステムバスＢで相互に接続されている。
【０１１２】
入力装置７１は、ユーザが操作するキーボード及びマウス等のポインティングデバイスを有しており、ユーザからのプログラムの実行等、各種操作信号を入力する。出力装置７２は、本発明における処理を行うためのコンピュータ本体を操作するのに必要な各種ウィンドウやデータ等を表示するディスプレイを有し、ＣＰＵ７６が有する制御プログラムによりプログラムの実行経過や結果等を表示することができる。
【０１１３】
ここで、本発明において、コンピュータ本体にインストールされる実行プログラムは、例えば、ＣＤ−ＲＯＭ等の記録媒体７８等により提供される。プログラムを記録した記録媒体７８は、ドライブ装置７３にセット可能であり、記録媒体７８に含まれる実行プログラムが、記録媒体７８からドライブ装置７３を介して補助記憶装置７４にインストールされる。
【０１１４】
補助記憶装置７４は、ハードディスク等のストレージ手段であり、本発明における実行プログラムや、コンピュータに設けられた制御プログラム等を蓄積し必要に応じて入出力を行うことができる。
【０１１５】
ＣＰＵ７６は、ＯＳ（Ｏｐｅｒａｔｉｎｇ  Ｓｙｓｔｅｍ）等の制御プログラム、メモリ装置７５により読み出され格納されている実行プログラムに基づいて、各種演算や各ハードウェア構成部とのデータの入出力等、コンピュータ全体の処理を制御して各処理を実現することができる。また、プログラムの実行中に必要な各種情報は、補助記憶装置７４から取得することができ、また格納することもできる。
【０１１６】
ネットワーク接続装置７７は、通信ネットワーク等と接続することにより、実行プログラムを通信ネットワークに接続されている他の端末等から取得したり、プログラムを実行することで得られた実行結果又は本発明における実行プログラム自体を他の端末等に提供することができる。
【０１１７】
上述したようなハードウェア構成により、特別な装置構成を必要とせず、低コストで効率的に広告配信を実現することができる。また、プログラムをインストールすることにより、広告配信処理を実現することができる。
【０１１８】
＜広告配信処理手順＞
次に、本発明における広告配信処理手順について、上述した各装置によるシーケンスチャートを用いて説明する。図１３は、広告配信処理手順の一例を示すシーケンスチャートである。なお、図１３に示すシーケンスでは、上述した広告制作装置１１、ＡＰＥ制作装置１２、台本制作装置１３、及び視聴装置１４から構成される広告配信処理手順について説明する。
【０１１９】
まず、広告制作装置１１により上述した広告データが生成される（Ｓ０１）。生成された広告データは、ＡＰＥ制作装置１２に送信される（Ｓ０２）。このとき、例えば広告データを埋め込むＡＰＥの内容等の指示（依頼）等も送信することができる。
【０１２０】
次に、ＡＰＥ制作装置１２では、送信された広告データを埋め込んだＡＰＥが生成される（Ｓ０３）。なお、Ｓ０３にて生成されるＡＰＥには、ＡＰＥの制作者を識別する識別情報も記述される。また、生成されたＡＰＥは、台本制作装置１３に送信される（Ｓ０４）。このとき、例えばＡＰＥを用いた台本の内容等の指示（依頼）等も送信することができる。なお、この情報は、広告制作装置１１により設定される。
【０１２１】
次に、送信されたＡＰＥを用いて台本制作装置１３により台本が生成される（Ｓ０５）。なお、Ｓ０５にて生成される台本には、台本の制作者を識別する識別情報も記述される。Ｓ０５にて生成された台本や台本に対応するＡＰＥ、素材データは、視聴装置１４に送信される（Ｓ０６）。
【０１２２】
視聴装置１４では、Ｓ０６により得られる台本やＡＰＥ、素材データを取得して番組が再生させる（Ｓ０７）。ここで、視聴装置１４では、再生により視聴された広告に対して、ＡＰＥ制作者の識別情報及び／又は台本制作者の識別情報が抽出され、抽出された識別情報と上述した視聴関連情報とからなる視聴情報が生成されて、広告制作装置１１に送信される（Ｓ０８）。
【０１２３】
広告制作装置１１では、送信された視聴情報に基づいてＡＰＥ制作者の識別情報及び／又は台本制作者に支払う広告料が設定され（Ｓ０９）、設定された広告料がＡＰＥ制作者や台本制作者に支払われる（Ｓ１０、Ｓ１１）。
【０１２４】
なお、上述したシーケンスは、広告制作装置１１、ＡＰＥ制作装置１２、台本制作装置１３、及び視聴装置１４をそれぞれ１つ有する構成で説明したが、本発明においてはこの限りではなく、例えば各構成を複数備えたシステム構成であってもよい。その場合、上述した図１３に示すシーケンスにおいては、ＡＰＥ制作装置１２は他のＡＰＥ制作装置１２にＡＰＥを送信してもよく、また台本制作装置１３は、他の台本制作装置１３やＡＰＥ制作装置１２に台本データやＡＰＥを送信してもよく、更に視聴装置１４は、台本データやＡＰＥを他の視聴装置１４や台本制作装置１３に出力することができる。
【０１２５】
上述したように本発明によれば、視聴者が見ているコンテンツの演出を維持したまま、シームレスに視聴者に広告を提示することができる。具体的に説明すると、ＡＰＥ（コンテンツ制作エンジン）で使われる部品（スタジオセット・小道具モデル・キャラクタ・動画・静止画・音声・画像・スーパーインポーズ・セリフ等）に広告を埋め込み、コンテンツの再生時にそのＡＰＥを使用したコンテンツで埋め込んだ広告が提示されるようにする。
【０１２６】
これにより、広告伝播効果を向上し、広告を多くの視聴者に視聴させることができる。また、高い広告効果が期待できる。更に、上述した視聴情報により、コンテンツ制作エンジン制作者及び台本制作者に対して最適な広告料の設定を行うことができる。
【０１２７】
なお、上述した番組としては、ニュースやスポーツ、バラエティ、ドラマ等あらゆるジャンルに適用することができる。更に、番組以外の映画や音楽といったコンテンツにも対応することができる。
【０１２８】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【０１２９】
【図１】本発明における広告配信システムの概要構成例を示す図である。
【図２】広告配信システムにおける配信動作の一例を示す図である。
【図３】広告配信システムにおける広告伝播の様子を説明するための図である。
【図４】広告制作装置の一構成例を示す図である。
【図５】ＡＰＥ制作装置の一構成例を示す図である。
【図６】本発明におけるＡＰＥの記述内容の一例を示す図である。
【図７】広告制作装置の一構成例を示す図である。
【図８】本発明における台本の記述内容の一例を示す図である。
【図９】視聴装置の一構成例を示す図である。
【図１０】番組を構成する台本、ＡＰＥ、広告データの一例を示す図である。
【図１１】図１０に基づいて生成された番組の再生遷移の一例を示す図である。
【図１２】本発明における広告配信処理が実現可能なハードウェア構成の一例を示す図である。
【図１３】広告配信処理手順の一例を示すシーケンスチャートである。
【符号の説明】
【０１３０】
１０  広告配信システム
１１  広告制作装置
１２  ＡＰＥ（番組制作エンジン）制作装置
１３  台本制作装置
１４  視聴装置
１５  通信ネットワーク
２１，３１，４１，５１  入力手段
２２，３２，４２，５２  出力手段
２３，３３，４３，５３  蓄積手段
２４  広告生成手段
２５  広告料設定手段
２６，３５，４５，５６  送受信手段
２７，３６，４６，５７  制御手段
３４  ＡＰＥ生成手段
４４  台本生成手段
５４  再生手段
５５  視聴情報生成手段
６１  台本
６２  台本画像
６３  ＡＰＥ
６４  広告画像
７１  入力装置
７２  出力装置
７３  ドライブ装置
７４  補助記憶装置
７５  メモリ装置
７６  ＣＰＵ
７７  ネットワーク接続装置
７８  記録媒体
【図１】
2008022256.tif 000003
【図２】
2008022256.tif 000004
【図３】
2008022256.tif 000005
【図４】
2008022256.tif 000006
【図５】
2008022256.tif 000007
【図６】
2008022256.tif 000008
【図７】
2008022256.tif 000009
【図８】
2008022256.tif 000010
【図９】
2008022256.tif 000011
【図１２】
2008022256.tif 000012
【図１３】
2008022256.tif 000013
【図１０】
2008022256.tif 000014
【図１１】
2008022256.tif 000015